(57)【要約】【課題】チャンネル設定や音量設定に関して操作性のよいペン型の信号送信装置を提供する。【解決手段】ペン４のペン先４１に設けられた送信部４１０と、ペン４のペン先４３に設けられ、ペン４の中心軸ｃａを中心に回転する第１の操作部４３０と、中心軸ｃａに沿った方向において、送信部４１０と第１の操作部４３０との間のペン軸４２に設けられ、中心軸ｃａに沿った方向に移動する第２の操作部４２０と、第１の操作部４３０の回転に応じた音量設定信号を送信部４１０に送信させ、中心軸ｃａに沿った方向の第２の操作部４２０の移動に応じたチャンネル設定信号を送信部４１０に送信させる制御部４００とを設ける。【選択図】　図４
2004147245.tif 000002
【特許請求の範囲】
【請求項１】
ペン型の信号送信装置であって、
前記信号送信装置の一端に設けられた送信部と、
前記信号送信装置の他端に設けられ、前記信号送信装置の中心軸を中心に回転する第１の操作部と、
前記中心軸に沿った方向において、前記送信部と前記第１の操作部との間に設けられ、前記中心軸に沿った方向に移動する第２の操作部と、
前記第１の操作部の回転に応じた音量設定信号を前記送信部に送信させ、前記中心軸に沿った方向の前記第２の操作部の移動に応じたチャンネル設定信号を前記送信部に送信させる制御部とを有する
信号送信装置。
【請求項２】
前記第１の操作部は、前記中心軸を中心に回転する凸部と、
前記凸部の回転経路に位置し、前記凸部と接触することにより当該凸部の回転を検出する検出部とを有し、
前記制御部は、前記検出部の前記検出の結果に基づいて前記音量設定信号を前記送信部に送信させる
請求項１に記載の信号送信装置。
【請求項３】
前記第２の操作部は、前記中心軸に沿った方向に配置された第１および第２の接触部と、
前記中心軸に沿った方向において、前記第１および第２の接触部の間に位置し、前記中心軸に沿った方向に移動する可動部と、
前記第１および第２の接触部と前記可動部との接触の有無を検出する接触検出部と、
前記制御部は、前記接触検出部の前記検出の結果に基づいて前記送信部に前記チャンネル設定信号を送信させる
請求項１に記載の信号送信装置。
【請求項４】
前記送信部は、前記制御部の制御に応じて発光する発光部と、
前記発光部から出力された光を前記中心軸に対して略垂直方向に反射する反射部とを有する
請求項１に記載の信号送信装置。
【請求項５】
ペン型の信号送信装置であって、
前記信号送信装置の一端に設けられた送信部と、
前記信号送信装置の中心軸を中心に回転する第１の操作部と、
前記中心軸に沿った方向に移動する第２の操作部と、
前記第１の操作部の回転に応じた音量設定信号を前記送信部に送信させ、前記中心軸に沿った方向の前記第２の操作部の移動に応じたチャンネル設定信号を前記送信部に送信させる制御部とを有し、
前記第１の操作部は、前記中心軸の方向に沿って前記送信部と前記第２の操作部との間に設けられている
信号送信装置。
【発明の詳細な説明】
【０００１】
【発明の属する技術分野】
本発明は、例えば、チャンネル設定や音量設定に関する信号を送信するペン型の信号送信装置に関するものである。
【０００２】
【従来の技術】
従来、テレビジョン放送を受信して表示および発音するテレビジョン受信装置と、そのテレビジョン受信装置のチャンネル設定や音量設定を行うための複数の設定ボタンを有し、設定信号を送信するリモートコントローラが知られている。
【０００３】
ところで、タッチパネルを有する電子機器に所望の位置を指示する入力ペンが知られている（例えば、特許文献１参照。）。
【０００４】
【特許文献１】
特開平７−１４６７５３号公報
【０００５】
【発明が解決しようとする課題】
近年では、この電子機器にテレビジョン受信装置の機能を設けた電子機器が知られている。このため、この電子機器で用いられる入力ペンに、テレビジョン受信機のリモートコントローラに相当する機能を持たせたいという要望がある。
【０００６】
しかし、入力ペンは棒形状であり、例えば従来のテレビジョン受信機のリモートコントローラと同様に複数の設定ボタンを単に設けただけでは、チャンネル設定や音量設定を行う際に操作性が悪いという問題点がある。
【０００７】
本発明は、かかる事情に鑑みてなされたものであり、その目的は、チャンネル設定や音量設定に関して操作性のよいペン型の信号送信装置を提供することにある。
【０００８】
【課題を解決するための手段】
前記目的を達成するために、第１の発明の信号送信装置は、ペン型の信号送信装置であって、前記信号送信装置の一端に設けられた送信部と、前記信号送信装置の他端に設けられ、前記信号送信装置の中心軸を中心に回転する第１の操作部と、前記中心軸に沿った方向において、前記送信部と前記第１の操作部との間に設けられ、前記中心軸に沿った方向に移動する第２の操作部と、前記第１の操作部の回転に応じた音量設定信号を前記送信部に送信させ、前記中心軸に沿った方向の前記第２の操作部の移動に応じたチャンネル設定信号を前記送信部に送信させる制御部とを有する。
【０００９】
第１の発明の信号送信装置によれば、第１の操作部では、信号送信装置の中心軸を中心に回転する。
第２の操作部では、中心軸に沿った方向において、送信部と第１の操作部との間に設けられ、中心軸に沿った方向に移動する。
制御部では、第１の操作部の回転に応じた音量設定信号を送信部に送信させ、中心軸に沿った方向の第２の操作部の移動に応じたチャンネル設定信号を送信部に送信させる。
【００１０】
さらに、前記目的を達成するために、第２の発明の信号送信装置は、ペン型の信号送信装置であって、前記信号送信装置の一端に設けられた送信部と、前記信号送信装置の中心軸を中心に回転する第１の操作部と、前記中心軸に沿った方向に移動する第２の操作部と、前記第１の操作部の回転に応じた音量設定信号を前記送信部に送信させ、前記中心軸に沿った方向の前記第２の操作部の移動に応じたチャンネル設定信号を前記送信部に送信させる制御部とを有し、前記第１の操作部は、前記中心軸の方向に沿って前記送信部と前記第２の操作部との間に設けられている。
【００１１】
【発明の実施の形態】
第１の実施の形態
本実施の形態に係るペン型の信号送信装置と、テレビジョン放送の受信機能を備えた情報処理装置を有する情報処理システムを例示して説明する。
【００１２】
図１は、本発明に係る信号送信装置を有する情報処理システムの全体図である。
情報処理システム１は、図１に示すように、情報処理装置（モニタとも言う）２、ベースステーション（ベースとも言う）３、ペン４、ＡＣアダプタ５、ＡＣアダプタ６とを有する。
【００１３】
ペン４は、本発明に係るペン型の信号送信装置である。
ＡＣアダプタ５はモニタ２へ電源を供給し、ＡＣアダプタ６はベース３へ電源を供給する。
【００１４】
モニタ２は、例えばテレビジョン放送の所定のチャンネルの画像を表示し、音声を発音する。また、モニタ２は、通信ネットワークに接続して電子メールやネットブラウジング等を行う機能を有する。
【００１５】
モニタ２は、詳細には受信部２１、表示部２２、タッチパネル２３、発音部２４、不図示の無線通信部、および制御部等を有する。
【００１６】
受信部２１は、ペン４から出力された所定の設定信号を受信し、制御部に出力する。例えば受信部２１は、赤外線を受信する受光部である。
表示部２２は、制御部の制御のもと、所定の画像、例えばテレビジョン放送の所定のチャンネルの番組の画像を表示する。例えば表示部２２はＬＣＤ（Ｌｉｑｕｉｄｃｒｙｓｔａｌ　ｄｉｓｐｌａｙ）である。
【００１７】
タッチパネル２３は、表示部２２上に設けられ、ペンに４より指示された位置に関する位置情報を制御部に出力する。
【００１８】
発音部２４は、制御部の制御のもと、音声信号と音量設定信号に基づいて、所定の音量に増幅して発音する。
無線通信部は、制御部の制御のもと、ベース３と、例えばＩＥＥＥ８０２．１１ｂ等の無線通信によってデータの送受信を行う。
【００１９】
制御部は、例えば、受信部２１で受信された制御信号に基づいて、例えばベースステーション３と通信を行い、テレビジョン放送に関する処理を行う。
【００２０】
詳細には、制御部は、チャンネル設定信号が受信部２１で受信されると、チャンネル設定信号に応じたチャンネルを選局するための選局信号を無線通信部を介してベースステーション３に送信し、ベースステーション３から送信された、選局信号に応じたチャンネルのテレビジョン放送の画像信号および音声信号を受信部２１を介して受信し、表示部２２に画像を表示させ、発音部２４に発音させる。
【００２１】
また、制御部は、音量設定信号が受信部２１で受信されると、発音部２４に音量設定信号に応じた音量で発音させる。
【００２２】
制御部は、例えば、ユーザがペン４によりタッチパネル２３上の所定の位置を指示すると、その位置情報に対応した処理を行う。
例えば詳細には制御部は、表示部２２に表示され所定の処理が関連付けられたアイコンに対応する位置情報がタッチパネル２３から出力されると、その関連付けられた所定の処理を行う。
【００２３】
ベース３は、モニタ２の制御のもと、テレビジョン（ＴＶ）アンテナＡＮＴを介して入力されたテレビジョン（ＴＶ）信号を画像処理および音声処理を行いモニタ２に送信する。
ベース３は、電話線やＬＡＮケーブル等の通信線Ｌを接続可能であり、モニタ２からの制御により、不図示のサーバ等にアクセスしてデータ通信を行い、所定のデータの送受信をモニタ２と行う。
【００２４】
ペン型の信号送信装置
図２は、図１に示した情報処理システムのペンの全体図である。図３（ａ）は図２に示したペンの側面図である。図３（ｂ）は図３（ａ）に示したペンを中心軸ｃａを中心に９０°回転させた側面図である。
【００２５】
ペン型の信号処理装置（ペン）４は、ペン先４１、ペン軸４２、およびペン先４３を有する。
ペン先４１はペン４の一端、詳細には図に向かって左側の一端に設けられ、ペン先４３はペン４の他端、詳細には図に向かって右側の一端に設けられ、ペン軸４２はペン先４１とペン先４３の中心軸ｃａに沿った方向において、ペン先４１とペン先４３の間に設けられている。
【００２６】
例えば、通常時にはペン４はペン先４１が略下向になるように使用される。
ペン軸４２には、スライドボタン４２１が設けられている。
スライドボタン４２１は、例えば図２，３（ａ），３（ｂ）に示すように、中心軸ｃａに沿った方向が長軸であるような略楕円形状である。
スライドボタン４２１は、中心軸ｃａに沿った方向に移動する。
【００２７】
図４は、図３（ｂ）に示したペン４のＡ−Ａ破線の断面図である。
ペン先４１は、送信部４１０を有する。
送信部４１０は、発光部４１１、反射部４１２、および透過部４１３とを有する。
発光部４１１は、後述の制御部４００の制御に応じて発光しチャンネル制御信号や音量設定信号を出力する。例えば発光部４１１は赤外線発光ダイオード等の発光を行う装置である。
【００２８】
反射部４１２は、発光部４１１から出力された光、例えば赤外線を中心軸ｃａと略垂直方向Ｐａに反射する。
詳細には、反射部４１２は、円錐形状の反射面を有する。この円錐形状の頂点が中心軸ｃａに沿った方向で、発光部４１１に向くように設けられている。このため、発光部４１１から出力された光は、円錐形状の反射面に反射して略垂直方向Ｐａに出力される。
【００２９】
透過部４１３は、発光部４１１と反射部４１２との間を充填する充填材である。透過部４１３は、発光部４１１から出力された光、例えば赤外線を透過する充填材である。
【００３０】
ペン軸４２は、第２の操作部４２０、制御部４００、およびバッテリ４０１を有する。
【００３１】
第２の操作部４２０は、例えばモニタ２のチャンネル設定を行う際に操作される。
第２の操作部４２０は、スライドボタン４２１、スプリング４２２，４２３、およびプッシュスイッチ４２４，４２５を有する。
スライドボタン４２１は、本発明に係る可動部に相当する。
【００３２】
プッシュスイッチ４２４は、中心軸ｃａに沿った方向に配置された接触部４２４１を有する。プッシュスイッチ４２５は、中心軸ｃａに沿った方向に配置された接触部４２５１を有する。
接触部４２４１，４２５１は、本発明に係る第１および２の接触部に相当する。
【００３３】
プッシュスイッチ４２４は、接触部４２４１とスライドボタン４２１との接触の有無を検出する。プッシュスイッチ４２５は、接触部４２５１とスライドボタン４２１との接触の有無を検出する。プッシュスイッチ４２４，４２５は、その接触の検出の結果を示す信号を制御部４００に出力する。
プッシュスイッチ４２４，４２５は、本発明に係る接触検出部に相当する。
【００３４】
スプリング４２２，４２３は、中心軸ｃａに沿った方向において、スライドボタン４２１の両端に設けられている。
スプリング４２２，４２３は、平衡状態ではスライドボタン４２１を、プッシュスイッチ４２４，４２５に接触しない位置に保持する。
【００３５】
スライドボタン４２１は、中心軸ｃａに沿った方向において、接触部４２４１，４２５１の間に位置し、中心軸ｃａに沿った方向に移動する。
【００３６】
バッテリ４０１は、制御部４００に電力を供給する電源である。
【００３７】
ペン先４３は、第１の操作部４３０を有する。
第１の操作部４３０は、例えば、モニタ２の音量を操作する際に操作される。
【００３８】
図５は、図４に示したペン４のＢ−Ｂ破線の断面図である。
第１の操作部４３０は、図４，５に示すように、回転部４３１、固定軸４３２、検出部４３３とを有する。
回転部４３１は本発明に係る回転部に相当し、検出部４３３は本発明に係る検出部に相当する。
【００３９】
回転部４３１は、中心軸ｃａを中心に回転する。回転部４３１は例えば凸部４３１１を有する。
凸部４３１１は、例えば図５に示すように、回転部４３１に設けられた中空部４３１０に向かって内側に設けられている。
【００４０】
凸部４３１１は、回転部４３１の回転を検出するために所定の数だけ、詳細には回転の方向および回転量を検出するために複数個、例えば図５に示すように等角度で４個、設けられている。
凸部４３１１は、中心軸ｃａを中心に回転する。
【００４１】
固定軸４３２は、例えば中心軸ｃａに沿ってペン軸４２に固定されている。また回転部４３１は固定軸４３２を中心に回転する。
【００４２】
検出部４３３は、回転部４３１の凸部４３１１と接触することにより、凸部４３１１の回転を検出する。検出部４３３は固定軸４３２に固定されている。検出部４３３は、検出した結果を示す信号を制御部４００に出力する。
検出部４３３は、例えば２接点ディテクタスイッチである。２接点ディテクタスイッチは、駆動部分４３３１を有する。
【００４３】
駆動部分４３３１は凸部４３１１の回転経路に位置し凸部４３１１と接触することにより、２接点ディテクタスイッチは凸部４３１１の回転を検出する。
【００４４】
詳細には、２接点ディテクタスイッチの駆動部分４３３１は、回転部４３１の凸部４３１１が中心軸ｃａを中心に所定の方向に回転して接触すると、その接触に応じて、図に向かって左方向または右に傾く。２接点ディテクタスイッチは駆動部分４３３１の傾きにより回転方向を検出する。
【００４５】
２接点ディテクタスイッチは、回転部４３１が回転していない状態、つまり平常時にはオフ状態であり、回転部４３１の凸部４３１１が回転して接触した時のみ、回転量に応じてオン状態およびオフ状態になる。
図５に示すように、凸部４３１１は、２接点ディテクタスイッチの駆動部分４３３１に接触するように形成されている。
【００４６】
図６は、図１に示したペンの機能ブロック図である。
ペン４は、電気的には図６に示すように、制御部４００、バッテリ４０１、発光部４１１、プッシュスイッチ４２４，４２５、および検出部４３３を有する。
バッテリ４０１、発光部４１１、プッシュスイッチ４２４，４２５、および検出部４３３は、制御部４００に接続されている。
例えば、制御部４００は、不図示の信号入力部、演算部、メモリ部、発光部４１１の駆動用のドライバ等を有する。
【００４７】
制御部４００は、第１の操作部４３０の回転に応じた音量設定信号を送信部４１０に送信させ、中心軸ｃａに沿った方向の第２の操作部４２０の移動に応じたチャンネル設定信号を送信部４１０に送信させる。
【００４８】
詳細には、制御部４００は、プッシュスイッチ４２４，４２５がスライドボタン４２１との接触の有無を検出し、プッシュスイッチ４２４，４２５の検出の結果に基づいて送信部４１０にチャンネル設定信号を送信させる。
【００４９】
例えば、プッシュスイッチ４２４がスライドボタン４２１と接触した場合には、制御部４００はチャンネル番号を減少させるためのチャンネル設定信号を送信部４１０に送信させる。
また、例えば、プッシュスイッチ４２５がスライドボタン４２１と接触した場合には、制御部４００はチャンネル番号を増加させるためのチャンネル設定信号を送信部４１０に送信させる。
【００５０】
制御部４００は、検出部４３３から、駆動部分４３３１が回転部４３１の凸部４３１１と接触することにより当該凸部４３１１の回転を検出した結果を示す信号を出力すると、その検出の結果に基づいて音量設定信号を送信部４１０に送信させる。
【００５１】
図７は、図１に示したペンの動作の一具体例を示すフローチャートである。制御部４００の動作を、図７を参照しながら簡単に説明する。
【００５２】
ステップＳＴ１において、制御部４００は、初期状態ではバッテリ４０１の消費電力を抑えるためにスリープ状態である。
【００５３】
ステップＳＴ２において、制御部４００では、例えば第１の操作部４３０の操作により音量設定のための割り込みがあると、詳細には検出部４３３から駆動部分４３３１が回転部４３１の凸部４３１１と接触することにより当該凸部４３１１の回転を検出した結果を示す信号を受信すると、その検出の結果に基づいて音量設定信号を送信部４１０に送信させ（ＳＴ３）、ステップＳＴ４の処理に進む。
【００５４】
一方、ステップＳＴ２において、音量設定のための割り込みがないと判別された場合にもステップＳＴ４の処理に進む。
【００５５】
ステップＳＴ４において、制御部４００では、例えば第２の操作部４２０の操作によりチャンネル設定のための割り込みがあると、詳細にはプッシュスイッチ４２４，４２５がスライドボタン４２１との接触の有無を検出し検出結果を示す信号を受信すると、その信号に基づいて送信部４１０にチャンネル設定信号を送信させ（ＳＴ５）、ステップＳＴ１の処理に戻りスリープ状態になる。
【００５６】
一方、ステップＳＴ４において、チャンネル設定のための割り込みがないと判別された場合にもステップＳＴ１の処理に戻りスリープ状態に戻る。
【００５７】
以上の構成のペン４をユーザが使用する際の動作を説明する。
ペン４をモニタ２のタッチパネル２３への指示具として用いる場合は、例えばユーザは文字を書くときのようにペン４を握り、ペン先４１やペン先４３でタッチパネル２３をポインティングする。
モニタ２は、ペン４によりタッチパネル２３上に指示（ポインティング）された位置に対応する位置情報に応じた処理を行う。
【００５８】
また、スライドボタン４２１に親指を置いた状態でペン４を握った際にペン先４１の送信部４１０が露出するように送信部４１０と４２０を設けておく。
ペン４をモニタ２のチャンネル設定を行うためにリモートコントローラとして用いる場合には、例えばユーザはペン４を、ペン先４１の送信部４１０を露出するように、スライドボタン４２１に親指を置いた状態でペン先４１が略下向にペン軸４２を握り、スライドボタン４２１を操作してチャンネル設定信号を送信部４１０から中心軸ｃａに略垂直方向Ｐａに出力させて、モニタ２のチャンネル設定を行う。
【００５９】
ペン４をモニタ２の音量設定を行うためにリモートコントローラとして用いる場合には、例えばユーザはペン４を、ペン先４１の送信部４１０が露出するように、回転部４３１を親指と人差し指で摘むようにペン軸４２を握り、回転部４３１を親指と人差し指で回転させて音量設定信号を送信部４１０から中心軸ｃａに略垂直方向Ｐａに出力させて、モニタ２の音量設定を行う。
【００６０】
以上説明したように、ペン４のペン先４１に設けられた送信部４１０と、ペン４のペン先４３に設けられ、ペン４の中心軸ｃａを中心に回転する第１の操作部４３０と、中心軸ｃａに沿った方向において、送信部４１０と第１の操作部４３０との間のペン軸４２に設けられ、中心軸ｃａに沿った方向に移動する第２の操作部４２０と、第１の操作部４３０の回転に応じた音量設定信号を送信部４１０に送信させ、中心軸ｃａに沿った方向の第２の操作部４２０の移動に応じたチャンネル設定信号を送信部４１０に送信させる制御部４００とを設けたので、チャンネル設定や音量設定に関して操作性のよいペン型の信号送信装置を提供することができる。
【００６１】
また、音量設定用の回転部４３１を有する第１の操作部４３０と、チャンネル設定用のスライドボタン４２１を有する第２の操作部４２０を設けたので、例えば従来のように複数の設定用のボタンを確認して操作することなく、ユーザは音量を設定する場合には回転部４３１を回転させ、チャンネル設定を行う場合にはスライドボタン４２１を移動することで、それぞれの設定のための操作を容易に区別して行うことができる。
【００６２】
中心軸ｃａに略垂直方向Ｐａに設定信号を送信する送信部４１０をペン先４１設けたので、握った状態でも設定信号をモニタ２に出力することができる。
【００６３】
モニタ２のタッチパネル２３に入力するためのペンにリモコン機能を設けたことから、ユーザは例えば従来のようにペン４とリモコンの所在を別々に管理することなく、ペン４のみを管理すればよい。
【００６４】
利き手の違いによって操作感が異なることがないように、略直線形状に第１の操作部４３０および第２の操作部４２０を設けているので、利き手の違いによらず同一の操作感が得られる。
【００６５】
なお、本実施の形態では、第１の操作部４３０が操作されると音量設定信号を送信部４１０から送信し、第２の操作部４２０が操作されるとチャンネル制御信号を送信部４１０から送信するが、この形態に限られるものではない。
逆に、第１の操作部４３０が操作されるとチャンネル設定信号を送信部４１０から送信し、第２の操作部４２０が操作されると音量設定信号を送信部４１０から送信してもよい。
ペン４の操作は上述した形態に限られるものではない。ユーザそれぞれにより所望の握り方をして操作を行える。
【００６６】
第２の実施の形態
図８は本発明に係るペンの第２の実施の形態の全体図である。図９（ａ）は図８に示したペンの側面図である。図９（ｂ）は図９（ａ）に示したペンの中心軸ｃａを９０°回転させた側面図である。
【００６７】
本実施の形態に係るペン４ａは、第１の実施の形態に係るペン４とほぼ同様な構成である。相違点はペン先４１ａである。相違点のみ説明する。
【００６８】
ペン先４１ａは、送信部４１０ａを有する。
送信部４１０ａは、発光部４１１、反射部４１２、透過部４１３、および反射部４１４を有する。発光部４１１、反射部４１２、および透過部４１３は第１の実施の形態と同様の構成要素なので説明を省略する。
【００６９】
反射部４１４は、発光部４１１から出力された光が所定の方向に出力するように設けられる。
例えば反射部４１４は、発光部４１１から出力された光が、中心軸ｃａと略垂直方向で、かつスライドボタン４２１と反対方向Ｐａ１に出力するように設けられている。
例えば反射部４１４は、例えば図８，９（ａ），９（ｂ）に示すように、透過部４１３の表面のスライドボタン４２１側を覆うように設けられた反射部材である。
【００７０】
発光部４１１から出力された光は、反射部４１２で反射されて、ペン４の中心軸ｃａの略垂直方向に反射され、反射部４１４で中心軸ｃａの略垂直方向でかつスライドボタン４２１と反対方向Ｐａ１に反射して出力される。
【００７１】
このように、第２の実施の形態では、送信部４１０ａに反射部４１４を設けたので、第１の実施の形態に係る送信部４１０と比べて、所定の方向に音量設定信号やチャンネル設定信号を含む光を、強度を増して出力することができる。
【００７２】
また、スライドボタン４２１の反対側の方向に光が出力するように反射部４１４を設けたので、例えばユーザはペン４ａを手にとり、スライドボタン４２１がユーザの体の方向に向くように所定の操作を行うことで、強度の光がユーザから見て前方に出力することができる。
【００７３】
反射部４１４は、上述した形態に限られるものではない。例えば発光部４１１から出力された光が所定の方向に出力されればよい。
【００７４】
また、上述した形態では、光が中心軸ｃａの略垂直方向で、かつスライドボタン４２１と反対方向Ｐａ１に出力するように反射部４１４を設けたがこの形態に限られるものではない。例えば所望の方向に出力するように反射部４１４を設けてもよいし、反射部４１４を中心軸ｃａを中心に回転するように設けて、所望の方向に出力してもよい。
【００７５】
第３の実施の形態
図１０は本発明の第３の実施の形態に係るペンの全体図である。図１１（ａ）は図１０に示したペンの側面図である。図１１（ｂ）は図１１（ａ）に示したペンを中心軸ｃａを中心に９０°回転させた側面図である。図１２は図１１（ｂ）に示したペンのｃ−ｃ線に沿った断面図である。
【００７６】
本実施の形態に係るペン４ｂは、図１０に示すように、ペン軸４２ｂ、中間部４４、ペン先４３ｂとを有する。
ペン軸４２ｂとペン先４３ｂの中間に中間部４４が設けられている。
【００７７】
ペン軸４２ｂは第２の操作部４２０を有し、中間部４４は第１の操作部４３０ｂを有し、ペン先４３ｂは送信部４１０ｂを有する。
【００７８】
ペン４ｂと、第１の実施の形態に係るペン４との相違点は、上述したように、第１の操作部４３０ｂが、中心軸ｃａの方向に沿って送信部４１０ｂと第２の操作部４２０との間に設けられている点である。
【００７９】
詳細には、ペン４ｂの一端のペン先４３ｂに設けられた送信部４１０ｂと、中間部４４に設けられ中心軸ｃａを中心に回転する第１の操作部４３０ｂと、ペン軸４２ｂに設けられ中心軸ｃａに沿った方向に移動する第２の操作部４２０と、第１の操作部４３０ｂの回転に応じた音量設定信号を送信部４１０ｂに送信させ、中心軸ｃａに沿った方向の第２の操作部４２０の移動に応じたチャンネル設定信号を送信部４１０に送信させる制御部４００とを設ける。
また、第１の操作部４３０ｂは、中心軸ｃａの方向に沿って送信部４１０ｂと第２の操作部４２０との間に設けられている。
【００８０】
第１の操作部４３０ｂ、第２の操作部４２０、送信部４１０ｂそれぞれの構成要素の機能は、第１の実施の形態に係る第１の操作部４３０、第２の操作部４２０、送信部４１０と略同様であるので説明を省略する。
【００８１】
また、例えば図１１に示すように、送信部４１０ｂは、第２の実施の形態に係るペン４の送信部ａのように、所望の方向、例えば中心軸ｃａと略垂直方向でかつスライドボタン４２１と反対側の方向に発光部４１１から光が出力されるように反射部４１２および反射部４１４ｂを設けてもよい。
【００８２】
以上説明したように、第３の実施の形態に係るペン４ｂは、第１の操作部４３０ｂが、中心軸ｃａの方向に沿って送信部４１０ｂと第２の操作部４２０との間に設けられているので、例えばユーザがペン先４３ｂを略上向になるように操作すると、送信部４１０ｂが第１の実施の形態に係るペン４と比べて高い位置にあるので、モニタ２との間に低い障害物があった場合でも、モニタ２に設定信号を送信することができる。
【００８３】
なお、本発明は上述した第１〜３の実施の形態に限られるものではなく、任意好適な種々の改変が可能である。
例えば、テレビジョン放送の受信に関するチャンネル設定や音量設定を行う形態であったが、この形態に限られるものではない。例えば、ラジオ放送に関する設定であってもよいし、チャンネル設定や音量設定以外の所定の設定を第１および第２の操作部に割り当ててもよい。
【００８４】
例えば、タッチパネルに限らず、タブレットなどペン形状のポインティングデバイスを有する機器において、本発明のペン型の信号送信装置を用いることで同様の効果が得られる。
【００８５】
【発明の効果】
本発明によれば、チャンネル設定や音量設定に関して操作性のよいペン型の信号送信装置を提供することができる。
【図面の簡単な説明】
【図１】図１は、本発明に係る信号送信装置を有する情報処理システムの全体図である。
【図２】図２は、図１に示した情報処理システムのペンの全体図である。
【図３】図３（ａ）は図２に示したペンの側面図である。図３（ｂ）は図３（ａ）に示したペンを中心軸を中心に９０°回転させた側面図である。
【図４】図４は、図３（ｂ）に示したペン４のＡ−Ａ破線の断面図である。
【図５】図５は、図４に示したペン４のＢ−Ｂ破線の断面図である。
【図６】図６は、図１に示したペンの機能ブロック図である。
【図７】図７は、図１に示したペンの動作の一具体例を示すフローチャートである。
【図８】図８は本発明に係るペンの第２の実施の形態の全体図である。
【図９】図９（ａ）は図８に示したペンの側面図である。図９（ｂ）は図９（ａ）に示したペンの中心軸を９０°回転させた側面図である。
【図１０】図１０は本発明の第３の実施の形態に係るペンの全体図である。
【図１１】図１１（ａ）は図１０に示したペンの側面図である。図１１（ｂ）は図１１（ａ）に示したペンを中心軸を中心に９０°回転させた側面図である。
【図１２】図１２は図１１（ｂ）に示したペンのｃ−ｃ線に沿った断面図である。
【符号の説明】
１…情報処理システム、２…モニタ、３…ベースステーション（ベース）、４，４ａ，４ｂ…ペン、５，６…ＡＣアダプタ、２１…受信部、２２…表示部、２３…タッチパネル、２４…発音部、４１…ペン先、４２…ペン軸、４３…ペン先、４４…中間部、４００…制御部、４０１…バッテリ、４１０…送信部、４１１…発光部、４１２…反射部、４１３…透過部、４１４…反射部、４２０…第２の操作部、４２１…スライドボタン、４２２，４２３…スプリング、４２４，４２５…プッシュスイッチ、４３０…第１の操作部、４３１…回転部、４３２…固定軸、４３３…検出部、４２４１…接触部、４２４１，４２５１…接触部、４３１０…中空部、４３１１…凸部、４３３１…駆動部分。
【図１】
2004147245.tif 000003
【図２】
2004147245.tif 000004
【図３】
2004147245.tif 000005
【図４】
2004147245.tif 000006
【図５】
2004147245.tif 000007
【図６】
2004147245.tif 000008
【図７】
2004147245.tif 000009
【図８】
2004147245.tif 000010
【図９】
2004147245.tif 000011
【図１０】
2004147245.tif 000012
【図１１】
2004147245.tif 000013
【図１２】
2004147245.tif 000014